【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
遊技球を用いて遊技が行われ、表示状態が変化可能な可変表示部が設けられ、前記可変表示部の表示結果があらかじめ定められた特定の表示態様となったことにより所定の遊技価値を遊技者に与える遊技機であって、
前記可変表示部の表示結果が前記特定の表示態様となったことにより開放する大入賞口と、
遊技球の入賞により前記可変表示部の表示状態を変化させるための始動入賞口と、
遊技球の入賞により賞球を払い出すための入賞口と、
前記大入賞口への遊技球の入賞を検出するカウントスイッチと、
前記始動入賞口への遊技球の入賞を検出する始動口スイッチと、
前記入賞口への遊技球の入賞を検出する入賞口スイッチと、
前記カウントスイッチ、前記始動口スイッチおよび前記入賞口スイッチが入賞を検出すると、賞球の払出個数を指示する払出個数指示コマンドを出力する遊技制御用マイクロコンピュータを搭載した遊技制御基板と、
賞球を払い出す玉払出装置と、
前記払出個数指示コマンドに応じて前記玉払出装置を駆動する賞球制御用マイクロコンピュータを搭載した賞球制御基板と、
所定電位電源の電圧低下を検出するための電源監視回路と、
前記電源監視回路が電圧低下を検出した所定期間後に前記賞球制御用マイクロコンピュータにシステムリセット信号を出力するリセット回路とを備え、
前記電源監視回路の検出出力および前記リセット回路のシステムリセット信号は、前記賞球制御用マイクロコンピュータに入力され、
前記賞球制御用マイクロコンピュータは、
前記払出個数指示コマンドによって指示される払出個数の総数が記憶されるとともに、遊技機に対する電源が断しても内容が保存されるバックアップＲＡＭ領域を含み、
前記バックアップＲＡＭ領域が記憶する払出個数の総数の値に前記払出個数指示コマンドによって指示された払出個数を加算し、前記玉払出装置を駆動して１個の払出が完了する度に前記バックアップＲＡＭ領域が記憶する払出個数の総数の値を１減算し、
前記電源監視回路からの検出出力が入力されたことにより、ＲＡＭアクセス禁止状態に設定し、前記リセット回路のシステムリセット信号が入力されたことにより、システムリセットされる
ことを特徴とする遊技機。
【請求項２】
遊技球を用いて遊技が行われ、表示状態が変化可能な可変表示部が設けられ、前記可変表示部の表示結果があらかじめ定められた特定の表示態様となったことにより所定の遊技価値を遊技者に与える遊技機であって、
前記可変表示部の表示結果が前記特定の表示態様となったことにより開放する大入賞口と、
遊技球の入賞により前記可変表示部の表示状態を変化させるための始動入賞口と、
遊技球の入賞により賞球を払い出すための入賞口と、
前記大入賞口への遊技球の入賞を検出するカウントスイッチと、
前記始動入賞口への遊技球の入賞を検出する始動口スイッチと、
前記入賞口への遊技球の入賞を検出する入賞口スイッチと、
前記カウントスイッチ、前記始動口スイッチおよび前記入賞口スイッチが入賞を検出すると、賞球の払出個数を指示する払出個数指示コマンドを出力する遊技制御用マイクロコンピュータを搭載した遊技制御基板と、
賞球を払い出す玉払出装置と、
前記払出個数指示コマンドに応じて前記玉払出装置を駆動する賞球制御用マイクロコンピュータを搭載した賞球制御基板と、
所定電位電源の電圧低下を検出するための電源監視回路と、
前記電源監視回路が電圧低下を検出した所定期間後に前記賞球制御用マイクロコンピュータにシステムリセット信号を出力するリセット回路とを備え、
前記電源監視回路の検出出力および前記リセット回路のシステムリセット信号は、前記賞球制御用マイクロコンピュータに入力され、
前記賞球制御用マイクロコンピュータは、
前記払出個数指示コマンドによって指示される払出個数の総数が記憶されるとともに、遊技機に対する電源が断しても内容が保存されるバックアップＲＡＭ領域を含み、
前記バックアップＲＡＭ領域が記憶する払出個数の総数の値に前記払出個数指示コマンドによって指示された払出個数を加算し、前記玉払出装置を駆動して１個の払出が完了する度に前記バックアップＲＡＭ領域が記憶する払出個数の総数の値を１減算し、
前記電源監視回路からの検出出力が入力されたことにより、ＲＡＭアクセス禁止状態に設定し、前記リセット回路のシステムリセット信号が入力されたことにより、非動作状態となる
ことを特徴とする遊技機。
【請求項３】
電源監視回路からの検出出力は、賞球制御用マイクロコンピュータのマスク不能割込端子に入力され、
前記賞球制御用マイクロコンピュータは、
所定期間毎に発生するタイマ割込による割込処理にて賞球払出処理を実行し、
前記マスク不能割込端子への前記電源監視回路からの検出出力の入力により、前記賞球払出処理の実行を停止してＲＡＭアクセス禁止状態の設定を実行する
請求項１または請求項２記載の遊技機
【請求項４】
電源監視回路の検出出力は賞球制御用マイクロコンピュータの入力ポートに入力され、
前記賞球制御用マイクロコンピュータは、
前記入力ポートを監視し、前記電源監視回路の検出出力が入力していればＲＡＭアクセス禁止状態の設定を実行する
請求項１から請求項３のうちいずれか１項に記載の遊技機。
【請求項５】
電源監視回路の検出出力は、遊技制御用マイクロコンピュータにも入力され、
前記遊技制御用マイクロコンピュータは、
遊技機に対する電源が断しても内容が保存される遊技制御用バックアップＲＡＭ領域を含み、
前記電源監視回路からの検出出力が入力されたことにより、電源断フラグを設定し、
遊技機に対する電源が投入されたときは、前記遊技制御用バックアップＲＡＭ領域に電源断フラグが設定されていても初期化操作スイッチからの信号が入力されていれば前記遊技制御用バックアップＲＡＭ領域の記憶内容を初期化する初期化処理を実行する
請求項１から請求項４のうちいずれか１項に記載の遊技機。
【手続補正２】
【補正対象書類名】明細書
【補正対象項目名】００１１
【補正方法】変更
【補正の内容】
【００１１】
本発明による遊技機は、遊技球を用いて遊技が行われ、表示状態が変化可能な可変表示部（例えば、可変表示部９）が設けられ、可変表示部の表示結果があらかじめ定められた特定の表示態様（例えば、大当たり図柄）となったことにより所定の遊技価値（例えば、遊技球の払い出し）を遊技者に与える遊技機であって、可変表示部の表示結果が特定の表示態様となったことにより開放する大入賞口（例えば、開閉板２０により開閉される大入賞口）と、遊技球の入賞により可変表示部の表示状態を変化させるための始動入賞口（例えば、始動入賞口１４）と、遊技球の入賞により賞球を払い出すための入賞口（例えば、始動口１９，２４）と、大入賞口への遊技球の入賞を検出するカウントスイッチ（例えば、カウントスイッチ２３）と、始動入賞口への遊技球の入賞を検出する始動口スイッチ（例えば、始動口スイッチ１７）と、入賞口への遊技球の入賞を検出する入賞口スイッチ（例えば、入賞口スイッチ１９ａ，２４ａ）と、カウントスイッチ、始動口スイッチおよび入賞口スイッチが入賞を検出すると、賞球の払出個数を指示する払出個数指示コマンドを出力する遊技制御用マイクロコンピュータ（例えば、ＣＰＵ５６）を搭載した遊技制御基板（例えば、主基板５３）と、賞球を払い出す玉払出装置（例えば、玉払出装置９７）と、払出個数指示コマンドに応じて玉払出装置を駆動する賞球制御用マイクロコンピュータ（例えば、賞球制御用ＣＰＵ３７１）を搭載した賞球制御基板（例えば、賞球制御基板３７）と、所定電位電源（例えば、＋３０Ｖ電源電圧）の電圧低下を検出（例えば、＋１４Ｖ以下に低下したことを検出）するための電源監視回路と、電源監視回路が電圧低下を検出した所定期間後に賞球制御用マイクロコンピュータにシステムリセット信号を出力するリセット回路とを備え、電源監視回路の検出出力およびリセット回路のシステムリセット信号は、賞球制御用マイクロコンピュータに入力され、賞球制御用マイクロコンピュータは、払出個数指示コマンドによって指示される払出個数の総数が記憶されるとともに、遊技機に対する電源が断しても内容が保存されるバックアップＲＡＭ領域（例えば、図２４に示すバックアップＲＡＭ領域）を含み、バックアップＲＡＭ領域が記憶する払出個数の総数の値に払出個数指示コマンドによって指示された払出個数を加算し、玉払出装置を駆動して１個の払出が完了する度にバックアップＲＡＭ領域が記憶する払出個数の総数の値を１減算し、電源監視回路からの検出出力が入力されたことにより、ＲＡＭアクセス禁止状態に設定し、リセット回路のシステムリセット信号が入力されたことにより、システムリセットされることを特徴とする。
【手続補正３】
【補正対象書類名】明細書
【補正対象項目名】００１２
【補正方法】変更
【補正の内容】
【００１２】
また、本発明による遊技機は、遊技球を用いて遊技が行われ、表示状態が変化可能な可変表示部（例えば、可変表示部９）が設けられ、可変表示部の表示結果があらかじめ定められた特定の表示態様（例えば、大当たり図柄）となったことにより所定の遊技価値（例えば、遊技球の払い出し）を遊技者に与える遊技機であって、可変表示部の表示結果が特定の表示態様となったことにより開放する大入賞口（例えば、開閉板２０により開閉される大入賞口）と、遊技球の入賞により可変表示部の表示状態を変化させるための始動入賞口（例えば、始動入賞口１４）と、遊技球の入賞により賞球を払い出すための入賞口（例えば、始動口１９，２４）と、大入賞口への遊技球の入賞を検出するカウントスイッチ（例えば、カウントスイッチ２３）と、始動入賞口への遊技球の入賞を検出する始動口スイッチ（例えば、始動口スイッチ１７）と、入賞口への遊技球の入賞を検出する入賞口スイッチ（例えば、入賞口スイッチ１９ａ，２４ａ）と、カウントスイッチ、始動口スイッチおよび入賞口スイッチが入賞を検出すると、賞球の払出個数を指示する払出個数指示コマンドを出力する遊技制御用マイクロコンピュータ（例えば、ＣＰＵ５６）を搭載した遊技制御基板（例えば、主基板５３）と、賞球を払い出す玉払出装置（例えば、玉払出装置９７）と、払出個数指示コマンドに応じて玉払出装置を駆動する賞球制御用マイクロコンピュータ（例えば、賞球制御用ＣＰＵ３７１）を搭載した賞球制御基板（例えば、賞球制御基板３７）と、所定電位電源（例えば、＋３０Ｖ電源電圧）の電圧低下を検出（例えば、＋１４Ｖ以下に低下したことを検出）するための電源監視回路と、電源監視回路が電圧低下を検出した所定期間後に賞球制御用マイクロコンピュータにシステムリセット信号を出力するリセット回路とを備え、電源監視回路の検出出力およびリセット回路のシステムリセット信号は、賞球制御用マイクロコンピュータに入力され、賞球制御用マイクロコンピュータは、払出個数指示コマンドによって指示される払出個数の総数が記憶されるとともに、遊技機に対する電源が断しても内容が保存されるバックアップＲＡＭ領域（例えば、図２４に示すバックアップＲＡＭ領域）を含み、バックアップＲＡＭ領域が記憶する払出個数の総数の値に払出個数指示コマンドによって指示された払出個数を加算し、玉払出装置を駆動して１個の払出が完了する度にバックアップＲＡＭ領域が記憶する払出個数の総数の値を１減算し、電源監視回路からの検出出力が入力されたことにより、ＲＡＭアクセス禁止状態に設定し、リセット回路のシステムリセット信号が入力されたことにより、非動作状態となることを特徴とする。
【手続補正４】
【補正対象書類名】明細書
【補正対象項目名】００１３
【補正方法】変更
【補正の内容】
【００１３】
電源監視回路からの検出出力は、賞球制御用マイクロコンピュータのマスク不能割込端子に入力され、賞球制御用マイクロコンピュータは、所定期間毎に発生するタイマ割込による割込処理にて賞球払出処理を実行し、マスク不能割込端子への前記電源監視回路からの検出出力の入力により、賞球払出処理の実行を停止してＲＡＭアクセス禁止状態の設定を実行するように構成されていてもよい。
【手続補正５】
【補正対象書類名】明細書
【補正対象項目名】００１４
【補正方法】変更
【補正の内容】
【００１４】
電源監視回路の検出出力は賞球制御用マイクロコンピュータの入力ポートに入力され、賞球制御用マイクロコンピュータは、入力ポートを監視し、電源監視回路の検出出力が入力していればＲＡＭアクセス禁止状態の設定を実行するように構成されていてもよい。
また、電源監視回路の検出出力は、遊技制御用マイクロコンピュータにも入力され、遊技制御用マイクロコンピュータは、遊技機に対する電源が断しても内容が保存される遊技制御用バックアップＲＡＭ領域を含み、電源監視回路からの検出出力が入力されたことにより、電源断フラグを設定し、遊技機に対する電源が投入されたときは、遊技制御用バックアップＲＡＭ領域に電源断フラグが設定されていても初期化操作スイッチからの信号が入力されていれば遊技制御用バックアップＲＡＭ領域の記憶内容を初期化する初期化処理を実行するように構成されていてもよい。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】